(57)【要約】【課題】ヘッドセットやイヤホンなどを装着することなく快適に携帯端末のハンズフリー通話を行い、携帯端末のモニタを見なくても通信情報を視認可能にする。【解決手段】ハンズフリー装置は、自動車等のルームミラーに携帯端末とのハンズフリー操作を行うマイクロホン５およびスピーカ６を設けてなる。ミラーハウジング２の正面にミラー板３が設けられる。ミラーハウジング２の内部には、携帯端末の通信情報を電光表示するディスプレイ２８が設けられる。ハーフミラーモニタ２９は、ミラー板３の鏡面をなしてディスプレイ２８を覆い隠すとともに、ディスプレイ２８に電光表示される通信情報をミラー板３の正面側に透過表示する。
2009072308.tif 000002
【特許請求の範囲】
【請求項１】
自動車等のルームミラーに、携帯端末とのハンズフリー操作を行うマイクロホンおよびスピーカを設けてなるハンズフリー装置であって、
ミラーハウジングと、
このミラーハウジングの正面に設けられるミラー板と、
前記ミラーハウジングの内部に設けられ、前記携帯端末の通信情報を電光表示するディスプレイと、
前記ミラー板の鏡面をなして前記ディスプレイを覆い隠すとともに、前記ディスプレイに電光表示される通信情報を前記ミラー板の正面側に透過表示するハーフミラーモニタとを備えることを特徴とする、ハンズフリー装置。
【請求項２】
請求項１記載のハンズフリー装置であって、携帯端末とハンズフリー装置との通信手段が、ブルートゥースを用いた無線通信によるものである、ハンズフリー装置。
【請求項３】
請求項１または２記載のハンズフリー装置であって、前記ハーフミラーモニタに電光表示する通信情報が、着信元の電話番号である、ハンズフリー装置。
【請求項４】
請求項１、２または３記載のハンズフリー装置であって、前記ミラーハウジングの背面に、既存のルームミラーの正面に前記ハウジングを重ねて保持可能なクリップを設ける、ハンズフリー装置。
【請求項５】
請求項１〜４のいずれか一項記載のハンズフリー装置であって、前記ミラーハウジングに、前記携帯端末から音声信号を無線通信により受信して音声として出力する補助イヤホンを着脱可能に取り付ける、ハンズフリー装置。
【請求項６】
請求項５記載のハンズフリー装置であって、前記ミラーハウジングおよび前記補助イヤホンの少なくとも一方に、他方を着脱可能に吸着する磁石を埋め込む、ハンズフリー装置。
【請求項７】
請求項５または６記載のハンズフリー装置であって、前記ミラーハウジングに、前記補助イヤホンの内蔵バッテリに電力を供給するクレードルを設ける、ハンズフリー装置。
【発明の詳細な説明】
【技術分野】
【０００１】
本発明は、携帯端末の通話に用いられるハンズフリー装置に関するもので、詳しくは、自動車等のルームミラーにハンズフリー機能を内蔵させたミラー型ハンズフリー装置に関するものである。
【背景技術】
【０００２】
近年、運転中の携帯電話の使用による事故対策として、携帯電話を手で持つことなく通話を行うハンズフリー装置が普及し始めている。この種の装置は、例えばヘッドセットやイヤホンと、マイクとが一体に構成されており、耳の近くにハンズフリー装置を装着して用するものが一般的である。最近では、携帯電話の音声信号をブルートゥース（Bluetooth：登録商標）による無線通信でハンズフリー装置に送受信することで、使用者が携帯電話の通話をより快適に行えるようにしたものもある。【０００３】
なお、ハンズフリー装置に関する先行技術としては特許文献１〜４が開示されている。【０００４】
【特許文献１】特開２００１−３５４０６７号公報
【特許文献２】特開平１０−１０７８８０号公報
【特許文献３】実開平７−３９１５２号公報
【特許文献４】実用新案登録第３１１０８５５号公報
【発明の開示】
【発明が解決しようとする課題】
【０００５】
ところで、このような従来のハンズフリー装置は、携帯電話を直接操作しなくとも、通話が行える点で便利な反面、ヘッドセットやイヤホンなどが運転の妨げになることがある。例えばヘッドセットやイヤホンのサイズが合わず耳への装着感が悪いと運転に集中し辛くなり、また、装着感が良好でも、装着物の耳栓効果により外部の音が十分に聞き取れないことも起こりうる。【０００６】
また、従来のハンズフリー装置では、携帯電話の着信時に着信情報を直ぐに知ることができないといった問題もある。携帯電話の着信があると、通常、携帯電話のモニタに発信者の電話番号や登録名などの着信元（相手先）の情報が表示されるが、一旦、着信音が鳴ると、運転者は、通話を始める前に心理的に着信元の情報が気になってしまう。このため、着信コール中に携帯電話を取り出して着信画面をチェックする手間がかかり、運転に集中できないことが起こりうる。【０００７】
本発明は、このような現状に鑑みなされたもので、ヘッドセットやイヤホンなどを装着することなく快適に携帯端末のハンズフリー通話を行うことが可能で、かつ、携帯端末のモニタを見なくても通信情報を視認可能にしたハンズフリー装置を提供することを目的としている。
【課題を解決するための手段】
【０００８】
［第１発明］
前記課題を解決するための本発明のハンズフリー装置は、
自動車等のルームミラーに、携帯端末とのハンズフリー操作を行うマイクロホンおよびスピーカを設けてなるハンズフリー装置であって、
ミラーハウジングと、
このミラーハウジングの正面に設けられるミラー板と、
前記ミラーハウジングの内部に設けられ、前記携帯端末の通信情報を電光表示するディスプレイと、
前記ミラー板の鏡面をなして前記ディスプレイを覆い隠すとともに、前記ディスプレイに電光表示される通信情報を前記ミラー板の正面側に透過表示するハーフミラーモニタとを備える構成とした。【０００９】
第１発明の構成では、第１に、自動車等のルームミラーに携帯端末とのハンズフリー操作を行うマイクロホンおよびスピーカを設ける点に特徴がある。従来のハンズフリー装置では、耳元近くのヘッドセットやイヤホンで音声信号を送受信する構成が一般的であったが、本発明では、車内のフロントガラス上部に取り付けられるルームミラーに着目し、その取付位置で音声を送受信することで、ヘッドセットやイヤホンを不要とした。この結果、通話者は、耳元に何らの装着物を装着しなくとも、ハンズフリーで快適に通話を行うことができる。【００１０】
第２に、第１発明の構成では、ルームミラーの鏡面に携帯端末の通信情報を表示するディスプレイをハーフミラーで覆い隠す点に特徴がある。
このような構成によれば、通話者は、例えば着信コールを聞いた後、ルームミラーの鏡面を見れば、発信者の携帯番号や名称などの情報をハーフミラーモニタの表示により即座に知ることができる。これにより、携帯端末をわざわざ取り出してその着信画面を確認する必要がなくなる。【００１１】
なお、自動車等のルームミラーにハンズフリー装置を適用する点については、前述の特許文献１〜４においても開示されるが、上記の本発明の第２の特徴については開示されていない。すなわち、特許文献１〜３は、通信情報の表示機能に関する示唆や記載が存在しない点で、本発明の構成とは明確に区別される。
また、特許文献４には、通信情報の表示可能なモニタ（符号１２６参照）が存在するが、本発明のように電光表示のディスプレイをハーフミラーで覆う構成が存在しない点で本発明とは異なる。つまり、特許文献４の技術では、モニタがミラー板の一部に鏡面から分離されて常に表示されるから、鏡面の視認性が低下するのに対し、本発明では、通信情報を表示しないときには、ハーフミラーモニタが鏡面となるため、ミラー板の表面全体を鏡面として有効に利用することができる。【００１２】
［第２発明］
第１発明において、携帯端末とハンズフリー装置との通信手段は、ブルートゥース（Bluetooth：登録商標）を用いた無線通信によることが望ましい。
このような構成によれば、携帯端末とハンズフリー装置を車内で配線することなく、長時間、無線接続することができ、ハンズフリー装置の使い勝手がさらに良好になる。その他、無線通信手段としては、赤外線を用いるＩｒＤＡ（Infrared Data Association）、ＨｏｍｅＲＦ等を採用することも可能である。【００１３】
［第３発明］
また、第１発明において、前記ハーフミラーモニタに電光表示する通信情報としては、着信元の電話番号を採用するとよい。【００１４】
一般に、携帯電話では、通信データを送受信する際、携帯電話固有の製造番号をパスワードとして利用し、ＩＤ認証（端末認証）を行っている。携帯電話の着信時には、ＩＤ認証を行うために着信元の電話番号（端末番号）を受信する。着信元の電話番号は、携帯電話のモニタに表示されるが、同時にハンズフリー装置のハーフミラーモニタにも電話番号を表示することで、携帯電話のモニタを見なくとも着信元の電話番号を直ぐに知ることができる。もちろん固定電話の電話番号についても、ハーフミラーモニタに表示することができる。【００１５】
その他の通信情報としては、氏名・名称、メールアドレス、通話時間等が挙げられる。携帯端末とハンズフリー装置との間で連繋を図ることで、携帯端末のデータベースから名称やメールアドレスのデータをハンズフリー装置に送信してハーフミラーモニタに表示するようにしてもよい。【００１６】
［第４発明］
第４発明によるハンズフリー装置は、第１発明の構成を備えるものであって、
前記ミラーハウジングの背面に、既存のルームミラーの正面に前記ハウジングを重ねて保持可能なクリップを設ける構成とした。【００１７】
このような構成によれば、自動車などの既存のルームミラーにクリップによってハンズフリー装置を極めて簡単に取り付けることができる。この際、ハンズフリー装置の鏡面がルームミラーとして使用可能になる。既存のルームミラーへの取付キットとしてハンズフリー装置を設計すれば、自動車等のユーザが低コストでルームミラーにハンズフリー機能を付加することができるようになり、同装置の普及に役立つ。【００１８】
［第５発明］
第５発明によるハンズフリー装置は、第１発明の構成を備えるものであって、
前記ミラーハウジングに、前記携帯端末から音声信号を無線通信により受信して音声として出力する補助イヤホンを着脱可能に取り付ける構成とした。【００１９】
自動車等のルームミラーにハンズフリー機能を内蔵させる場合、ルームミラーの取付位置付近から通話音声が車内全体に響き渡る。車内に通話者が単独でいるときは通話音声が邪魔になることはないが、他の乗員も同乗しているときには、通話音声が迷惑になることがあり、また、通話者のプライバシー保護のため、通話音声を抑えることが必要になることもある。【００２０】
第５発明の構成によれば、ミラーハウジングから補助イヤホンを取り外して耳に直接付けて音声を聞くことで、ルームミラーのスピーカからの音声出力を停止させることができる。これにより、通話音声が車内全体に洩れるのを回避することができ、同乗者に会話の内容を知られなくて済む。【００２１】
なお、第５発明による補助イヤホンと携帯端末との無線通信は、第１発明と同様に、ブルートゥースによることが望ましい。その他、無線通信手段としては、赤外線を用いるＩｒＤＡ（Infrared Data Association）、ＨｏｍｅＲＦ等を採用してもよい。【００２２】
［第６発明］
第６発明によるハンズフリー装置は、第５発明の構成を備えるものであって、
前記ミラーハウジングおよび前記補助イヤホンの少なくとも一方に、他方を着脱可能に吸着する磁石を埋め込む構成とした。【００２３】
このような構成によれば、ミラーハウジングから補助イヤホンを極めて簡単に取り外すことができ、しかも、磁力によってイヤホン取付座にイヤホンが確実に保持されるので、走行時の振動などでイヤホンが脱落する心配がない。【００２４】
［第７発明］
第７発明によるハンズフリー装置は、第５発明の構成を備えるものであって、
前記ミラーハウジングに、前記補助イヤホンの内蔵バッテリに電力を供給するクレードルを設ける構成とした。【００２５】
一般に、無線通信によるイヤホンを用いる場合、その本体サイズが小型化されるため、内蔵バッテリの容量を十分に確保できないことが多い。このため、イヤホンの必要時に充電量が不足してイヤホンを使用できないことが起こりうる。【００２６】
第７発明の構成によれば、ミラーハウジングのクレードルに補助イヤホンを取り付けておくことで、補助イヤホンの内蔵バッテリに電力が供給される。これにより、補助イヤホンを常にフル充電に近い状態にして待機させることができ、補助イヤホンを使用するハンズフリー通話をいつでも快適に行うことが可能になる。【００２７】
［第１〜７発明］
第１〜７発明のハンズフリー装置は、乗用車、トラック、バス等のルームミラーを備えた車両に適用することできる。また、第１〜７発明のルームミラーは、車両の後方を確認するためのバックミラーの他、サンバイザー等の補助ミラーに適用することも可能である。携帯端末には、携帯電話の他、ノートパソコン、ＰＨＳ端末等も含まれる。【００２８】
第１〜７発明は、必要に応じて単独で適用してもよいし、これらの発明を組み合わせて適用してもよい。また、本明細書に記載される他の発明を組み合わせてもよい。
【図面の簡単な説明】
【００２９】
【図１】本発明の実施形態によるハンズフリー装置を示す斜視図である。
【図２】同ハンズフリー装置を示す平面図である。
【図３】同ハンズフリー装置を示す正面図である。
【図４】同ハンズフリー装置を示す背面図である。
【図５】同ハンズフリー装置を示す底面図である。
【図６】同ハンズフリー装置の内部構成を説明するための断面図である。
【図７】同ハンズフリー装置の制御基板の構成を説明するためのブロック図である。
【図８】同ハンズフリー装置を示すもので、（Ａ）はクレードルから補助イヤホンを外した状態を示す部分拡大図、（Ｂ）はクレードルに補助イヤホンを取り付けた状態を示す部分拡大図である。
【図９】同ハンズフリー装置の使用状態を示す側面図である。
【図１０】同ハンズフリー装置のハーフミラーモニタを示す部分拡大図である。
【符号の説明】
【００３０】
１    ハンズフリー装置
２    ハウジング（ミラーハウジング）
３    ミラー板
５    マイクロホン
６    スピーカ
８    補助イヤホン
９    クリップ
９ａ  固定片
９ｂ  可動片
１２    電源スイッチ
１３    ＦＭ周波数選択キー
１４    マルチファンクションキー
１５    録音機能キー
１６    再生機能キー
１７    音量調節ダイヤル
１８    スピーカモードスイッチ
２０    制御基板
２１    バッテリ
２８    ディスプレイ
２９    ハーフミラーモニタ
３１    本体部
３２    耳当て部
３１ａ  電源スイッチ
３５    クレードル
３６    凹溝
３７    端子ピン
３８    段差部
３９Ａ，３９Ｂ  磁石
【発明を実施するための最良の形態】
【００３１】
以下、本発明の実施形態を図面に基づいて説明する。
実施形態によるハンズフリー装置１の外観を図１〜図５に示した。図１は同装置の斜視図、図２は同装置の平面図、図３は同装置の正面図、図４は同装置の背面図、図５は同装置の底面図である。【００３２】
ハンズフリー装置１は、自動車等のフロントガラス上部に設けられるルームミラーの前面に固定される。ハンズフリー装置１の鏡面がルームミラーの鏡面に置き換わってバックミラーとして用いられる。【００３３】
図１に示すように、ハンズフリー装置１は、横長扁平のハウジング２の前面にミラー板３が取り付けられる。ハウジング２の中央やや下側の位置に通話者の声を入力するマイクロホン５が設けられ、ハウジング２の背面側には通話先の相手の音声を出力するスピーカ６（図４参照）が設けられている。ハウジング２の側端には補助イヤホン８が着脱可能に取り付けられている。【００３４】
図２，図４および図５に示すように、ハウジング２の背面側にはクリップ９が設けられており、左右それぞれ一対の固定片９ａおよび可動片９ｂが背面上下にほぼ均等な間隔を保って配置されている。固定片９ａは、背面上端に固定されており、可動片９ｂは、ハウジング２内のバネ材で上向きに付勢される。可動片９ｂをバネ材に反して押し下げると、可動片９ｂが直線上の軌道で下方へに移動し（図４二点鎖線参照）、押し下げ負荷を開放すると、図４実線の位置に戻る。既存のルームミラーの上端に固定片９ａを引っ掛けて可動片９ｂとの間で挟み込んむことで、ルームミラーにハンズフリー装置１が保持される。【００３５】
ハウジング２の上端面には、電源スイッチ１２およびＦＭ周波数選択キー１３が設けられる（図２参照）。
電源スイッチ１２は、ハンズフリー装置１を長時間使用しない場合にバッテリ２１（図６参照）を節約するために電源のオンオフを切り替えるものである。なお、バッテリ２１の充電は、車載のシガレット電源等を通じて行えるようになっている。
ＦＭ周波数選択キー１３は、車載のカーオーディオで通話を聞くためのＦＭ周波数を選択するものである。カーオーディオのＦＭラジオチューナの周波数をこのキーで設定した周波数に合わせることで、上記スピーカ６とともにカーオーディオのスピーカからも音声が出るようになる。【００３６】
ハウジング２の前面には、マルチファンクションキー１４、録音機能キー１５および再生機能キー１６が配置される（図３参照）。
マルチファンクションキー１４は、ハンズフリー装置１と携帯端末との間の通話切替や再ダイヤル等を行う操作ボタンである。【００３７】
録音機能キー１５および再生機能キー１６は、使用者によるボイスメモ録音・再生を行う場合に使用する。例えば録音機能キー１５を１回押すと、録音が開始され、再度、録音機能キー１５を押すと、録音が終了する。録音したメッセージを再生する場合は、再生機能キー１６を押すと、録音した音声メモがスピーカ６から流れる。使用者は、手をハンドルにおいたまま簡単にボイスメモを取ることができる。【００３８】
ハウジング２の下端面には、音量調節ダイヤル１７とスピーカモードスイッチ１８とが設けられる（図５参照）。音量調節ダイヤル１７は、スピーカ６と補助イヤホン８の通話音量を調節するものである。
スピーカモードスイッチ１８は、スピーカ６の出力モードを切り替えるスイッチである。通常モードではスピーカのみから通話音声が出る。拡張モードでは、スピーカ６の他にカーオーディオのスピーカ６からも通話音声が出る。騒音などでスピーカ６からの音声が聞き取りにくい場合には、拡張モードを使用することで通話が快適になる。【００３９】
図６に示すように、ハウジング２の内部にはマイクロホン５およびスピーカ６の他、制御基板２０、バッテリ２１が収納されている。ハウジング２の中央に制御基板２０とマイクロホン５、制御基板２０の左右のスペースにバッテリ２１とスピーカ６が取り付けられる。【００４０】
制御基板２０には、制御部２２、通信部２３、表示部２４、入力部２５、記憶部２６および音声処理部２７が設けられる（図７参照）。
制御部２２は、記憶部２６から読み出した通信プログラムを実行するもので、通信部２３および入力部２５からの信号、並びに音声処理部２７からの音声信号に基づいた処理を行う。また、通信部２３による携帯端末との接続および切断の制御を行う。【００４１】
通信部２３は、ブルートゥースを用いて携帯端末と無線通信する機能を有する。通信アンテナが通話相手の携帯端末からの信号を受信すると、受信信号の増幅、周波数変換、復調、Ａ／Ｄ変換等のブルートゥースの無線通信プロトコルに従った処理を施してその結果を制御部２２に出力する。通話相手の携帯端末に送信する音声信号が制御部２２から通信部２３に入力されると、この信号に対してＤ／Ａ変換、変調、周波数変換、増幅等のブルートゥースの無線通信プロトコルに従った処理を施し、その結果の信号を通信アンテナに出力する。【００４２】
表示部２４は、ディスプレイ２８（図６参照）とステータスランプとを備えている。ディスプレイ２８は、制御部２２から出力される表示データに基づいて通信情報を７セグメントＬＥＤによる数字やアルファベットで電光表示する。ステータスランプは、携帯端末との接続や切断などの状況を、そのＬＥＤ点灯色（青、赤、緑、黄など）により通話者に知らせる。【００４３】
入力部２５は、前述の各種キー、スイッチの操作に基づいた信号を制御部２２に出力する。
記憶部２６は、ハンズフリー通話の制御を実現するためのプログラムを格納する。また、ディスプレイ２８に表示する通信データを記憶して制御部２２に出力する。【００４４】
音声処理部２７は、制御部２２から入力されたデジタル音声信号をアナログ音声信号に変換してスピーカ６に出力するとともに、マイクロホン５から入力されたアナログ音声信号をデジタル音声信号に変換して制御部２２に出力する。【００４５】
ミラー板３には、制御基板２０のディスプレイ２８の直ぐ前の位置にハーフミラーモニタ２９が設けられる（図１および図３参照）。ハーフミラーモニタ２９は、正面から観ると、鏡面として見える一方、内側から外側へ向けて透視可能になっている。ディスプレイ２８が電光表示すると、この光がハーフミラーモニタ２９を透過して正面側に見える。
なお、ミラー板３の鏡面のうちハーフミラーの範囲については、図１および図３ではディスプレイ２８の直ぐ前の部分に二点鎖線の矩形範囲で示されているが、本発明としては、ディスプレイ２８の電光表示が見えればよく、二点鎖線の範囲のみであってもミラー板３の鏡面全体であってもよい。【００４６】
図８に示すように、補助イヤホン８は、本体部３１と耳当て部３２とからなるもので、本体部３１の側面に耳当て部３２が突出している。本体部３１には、ブルートゥースによるハンズフリー機能を実現するための制御基板、バッテリ等が内蔵されている。本体部３１の側面には、通話接続用の電源スイッチ３１ａが付いている。【００４７】
ハウジング２の側端部には、補助イヤホン８を着脱可能に取り付けるためのクレードル３５が設けられる。このクレードル３５には、補助イヤホン８の耳当て部３２を収納する凹溝３６と充電用の端子ピン３７とが上下に配置されている。クレードル３５に補助イヤホン８を取り付けると、凹溝３６に耳当て部３２が嵌まり、補助イヤホン８のピン孔に端子ピン３７（図８（Ｂ）参照）が差し込まれる。【００４８】
凹溝３６の穴周りには、ハウジング端面から矩形に窪む段差部３８が設けられる。この段差部３８は、耳当て部３２の付け根部３１ｂの形状に対応して形成されている。付け根部３１ｂの縦横寸法よりも段差部３８の縦横寸法が若干大きい。段差部３８に耳当て部３２を挿入すると、段差部３８に付け根部３１ｂがぴったりと収まり、耳当て部３２が凹溝３６の奥にほぼ密閉された状態で収まる。これにより、耳当て部３２に誇りや汚れが付きにくくなる。また、補助イヤホン８の挿入位置が正確に位置決めされるため、補助イヤホン８のピン孔に端子ピン３７を簡単に位置合わせすることができる。【００４９】
ハウジング２の段差部３８の内側には磁石３９Ａが埋め込まれる。この磁石３９Ａは、耳当て部３２の付け根部３１ｂに埋め込まれた磁石３９Ｂに引き合うように配置されている。クレードル３５に補助イヤホン８を近づけると、磁力によって両者が引き合って段差部３８に付け根部３１ｂが吸着される。これにより、クレードル３５への補助イヤホン８の取付状態が保持される。【００５０】
次に、ハンズフリー装置１の作用・効果を説明する。
ハンズフリー装置１を使用する場合、図９に示すように、車内のルームミラーＭの手前にクリップ９によりハンズフリー装置１を重ねて取り付ける。ハンズフリー装置１の鏡面は、角度調節して後方確認に支障がないように設定する。通話者の携帯端末とハンズフリー装置１との間は、予めブルートゥースのペアリングを行い、両者をリンクさせて通信の準備をしておく。【００５１】
携帯端末に着信があると、ハンズフリー装置１のスピーカ６から携帯端末の着信音が鳴る。このとき、マルチファンクションキー１４を１回押すことで、ハンズフリー装置１による通話を行うことが可能になる。着信時には、図１０に示すように、ハーフミラーモニタ２９に着信元の電話番号が電光表示されて浮かび上がる。再度、マルチファンクションキー１４を押せば通話状態が終了し、電光表示が消えてハーフミラーモニタ２９が元の鏡面に戻る。【００５２】
ハンズフリー装置１と携帯端末との間で通話を切り替えるには、マルチファンクションキー１４をゆっくり２回連続で押す。すると、ハーフミラーモニタ２９に「ＴＲＡＮＳＦＥＲ」と表示され、携帯端末のみによる通話状態であることを通話者に知らせる。携帯端末をハンズフリー装置１に再接続する場合は、再度マルチファンクションキー１４をゆっくり２回連続押しすると、ハーフミラーモニタ２９に「ＣＯＮＮＥＣＴＥＤ」と表示され、再接続の状態を通話者に知らせる。【００５３】
最後にかけた番号にリダイヤルするには、マルチファンクションキー１４を素速く２回押す。このとき、ハーフミラーモニタ２９には「ＲＥＤＩＡＬ」と表示される。【００５４】
このように本実施形態によれば、イヤホンやヘッドセットを使用しなくとも、ルームミラーのマイクロホン５とスピーカ６により携帯端末のハンズフリー通話を行うことができる。ルームミラーは、運転席から見て前方の比較的顔に近い位置にあるため、音声が聞き取り易く、マイクの集音感度を良好に保つことができる。【００５５】
また、本実施形態では、着信元の電話番号がハーフミラーモニタ２９に表示されるため、携帯端末のモニタを見なくとも、相手先の情報を知ることができ、着信時にわざわざ携帯端末を取り出すようなことを行わなくて済む。また、携帯端末の接続状況を確認するときも、ハーフミラーモニタ２９を見るだけでよくなる。【００５６】
さらに、本実施形態のハンズフリー装置１では、ディスプレイ２８がハーフミラーで覆われるため、ミラー板３の全体を鏡面として有効利用することができる。このため、ハンズフリー装置１の鏡面全体をバックミラーとして有効利用することができ、ディスプレイ２８が運転の妨げになるようなことがない。【００５７】
本実施形態において、車内で通話内容を他者に聞かれたくないときには、ハンズフリー装置１の補助イヤホン８を使用する。この場合、補助イヤホン８をクレードル３５から取り外し、補助イヤホン８の電源スイッチ３１ａをオンにして耳に付ける。すると、スピーカモードが強制的にイヤホンモードにに切り替わり、車内に音が洩れなくなる。補助イヤホン８をクレードル３５に戻せば、ハンズフリー装置１が通常の使用状態に復帰する。
このように本実施形態では、必要に応じてイヤホン通話を選択することもでき、必要に応じて、使い分けることで車内の種々の状況に対応することができる。【００５８】
また、本実施形態によれば、補助イヤホン８がクレードル３５に磁力によって保持されるため、補助イヤホン８を極めて簡単に本機から取り外すことができ、使い勝手がよい。一方で、車内の揺れや振動などにより補助イヤホン８が脱落しにくく、安心してクレードル３５に補助イヤホン８をセットしておくことができる。【００５９】
さらに、補助イヤホン８の内蔵バッテリには、補助イヤホン８を使用しない間、充電用の端子ピン３７を通じて電力が供給される。このため、補助イヤホン８が常にフル充電に近い状態に保たれており、長時間の通話でも安心して話せる。【００６０】
［変形例］
本発明の実施形態を説明したが、実施形態はこれらに限定されることなく、その他の変形・変更を伴ってもよい。
例えば前記実施形態のハンズフリー装置１では、ディスプレイ２８の文字をＬＥＤで表示する構成としたが、光源はこれに限られず冷陰極放電灯、蛍光表示管、白熱フィラメント、液晶モニタ、有機ＥＬ等であってもよい。また、ディスプレイ２８のセグメント表示は、ドットマトリクス表示にしても構わない。補助イヤホン８とクレードル３５の磁石３９Ａ，３９Ｂについては一方を鉄などの磁性体にしてもよい。
ディスプレイ２８には、バッテリ２１の充電量を表示するようにしてもよい。例えば充電量が１０％以下に低下したとき、「ＢＡＴＴＥＲＹ  ＣＨＡＲＧＥ」等の電光表示を行うと、使用者にハーフミラーモニタ２９を通じてバッテリ２１の充電タイミングを正確に知らせることができる。
制御基板２０、バッテリ２１、スピーカ６、マイクロホン５等の配置は前記実施形態に限定されるものではなく、ハウジング２の形状に応じて適宜変更可能である。
既存のルームミラーについては、必ずしも必要でなく、車内にルームミラー型のハンズフリー装置を直接取り付ける構成としてもよい。
【図１】
2009072308.tif 000003
【図２】
2009072308.tif 000004
【図３】
2009072308.tif 000005
【図４】
2009072308.tif 000006
【図５】
2009072308.tif 000007
【図６】
2009072308.tif 000008
【図７】
2009072308.tif 000009
【図８】
2009072308.tif 000010
【図９】
2009072308.tif 000011
【図１０】
2009072308.tif 000012
【国際調査報告】
2009072308.tif 000013
2009072308.tif 000014
2009072308.tif 000015
2009072308.tif 000016